(57)【特許請求の範囲】
【請求項１】
前面開口部から挿入される複数枚のプラグインユニットを配列収納可能なサブラックであって、その底面内側および／または天面内側に、複数のガイドレールを備え、
前記複数枚のプラグインユニットは、それぞれ前記ガイドレールに沿って前記サブラックの前面開口部から前記サブラック内に挿入可能に構成され、
１以上の前記ガイドレールに、蛍光材、蓄光材または反射材により構成された基板ガイドマーク部を設けたサブラックにおいて、
前記ガイドレールは、前後方向に長手方向を有し横断面形状が凹形状である溝部と、前記溝部に隣接し溝部を挟む形状の上面部と、を備え、
前記基板ガイドマーク部は、前記ガイドレールの上面部に設けられたこと、
を特徴とするサブラック。
【請求項２】
請求項１のサブラックにおいて、
前記基板ガイドマーク部の設けられたガイドレールのうち、一部のガイドレールにおける基板ガイドマーク部の色を、基板ガイドマークの設けられた他のガイドレールにおける基板ガイドマーク部の色と異なる色としたこと、
を特徴とするサブラック。
【請求項３】
請求項２のサブラックと、前記複数枚のプラグインユニットと、を備えたサブラック装置であって、
前記プラグインユニットは、
回路基板と、
前記回路基板に取り付けられたフロントパネルと、
を備え、
前記フロントパネルは、
前記サブラックの前面開口部の天面側および／または底面側に設けられた固定用ネジ孔に対向する位置に設けられたネジ保持部と、
前記ネジ保持部に回動自在に保持された固定用ビスと、
を備え、
前記固定用ビスを前記固定用ネジ孔に螺入することで、前記プラグインユニットを前記サブラックに固定するよう構成されたサブラック装置において、
１以上の前記ネジ保持部および／または前記固定用ビスに、蛍光材、蓄光材または反射材により構成されたネジ認識マーク部を設け、
前記基板ガイドマーク部の色を、前記ガイドレールに対応する前記プラグインユニットを構成する前記フロントパネルにおける前記ネジ認識マーク部の色に対応した色としたこと、
を特徴とするサブラック装置。
【請求項４】
請求項１ないし３のいずれかのサブラックに用いることを特徴とする前記ガイドレール。
【発明の詳細な説明】
【技術分野】
【０００１】
この発明は、サブラックおよびそれに用いるガイドレールに関する。
【背景技術】
【０００２】
電子回路部品などを実装したプリント基板を備えたプラグインユニットを複数枚実装するためのサブラックが知られている（たとえば、特許文献１）。
【０００３】
このサブラックの底板部側に設けられたフロントレールの上面部と中間レールの上面部には、プリント基板を案内するガイドレールが取り付けられている。プラグインユニットをサブラックに実装する際には、ガイドレールに形成されている溝部に沿ってプリント基板をスライド移動させる。プリント基板にはコネクタが付設されており、プリント基板がスライド移動して、コネクタがサブラックの後部に設置されているバックプレーン（マザーボード）上のコネクタに当接すると、プラグイン方式でバックプレーン上のコネクタと接合される（特許文献１の段落［０００２］ないし［０００４］、図１４および図１５等参照）。
【０００４】
このようにして、サブラックに複数枚のプラグインユニットが実装されたサブラック装置は、たとえば、機器の制御装置として当該機器に設置される。
【０００５】
ところで、いったん機器に設置されたサブラック装置のプラグインユニットの保守点検に際しては、プラグインユニットを、サブラックから抜いたりサブラックに挿入したりする作業が必要となることがある。
【０００６】
しかし、サブラック装置が、たとえば、電車の床下など暗所に設置された場合、保守対象となるプラグインユニットのサブラックに対する挿抜作業は、必ずしも容易ではないという問題があった。
【０００７】
このような問題を解決するために、機能別にパッケージ化されたプリント配線基板を構成する基板本体に、当該基板本体のコネクタからの離脱を補助するためのエジェクタを設け、エジェクタの表面にパッケージ固有の情報が夜光性の表示で付されてなるプリント配線基板が提案されている（特許文献２の段落［００１１］および［００１３］、図１等参照）。
【０００８】
このようなプリント配線基板を用いることで、暗所に設置されたサブラックから、保守対象となるプラグインユニットを抜く作業が容易となることが期待される。
【０００９】
しかしながら、いったん抜いたプラグインユニットを点検修理したのちサブラックに再挿入したり、新たなプラグインユニットをサブラックに挿入したりする場合は、上述のように、ガイドレールに形成されている溝部に沿ってプリント基板をスライド移動させる必要があるところ、暗所ではこのような作業は、やはり困難であるという問題がある。
【先行技術文献】
【特許文献】
【００１０】
【特許文献１】特開２０１１−１８１８２０号公報
【特許文献２】特開平１０−２２４００３号公報
【発明の概要】
【発明が解決しようとする課題】
【００１１】
この発明は、このような問題を解決し、暗所における保守作業の容易なサブラックなどを提供することを目的とする。
【課題を解決するための手段】
【００１２】
この発明によるサブラックは、前面開口部から挿入される複数枚のプラグインユニットを配列収納可能なサブラックであって、その底面内側および／または天面内側に、複数のガイドレールを備え、複数枚のプラグインユニットは、それぞれガイドレールに沿ってサブラックの前面開口部からサブラック内に挿入可能に構成されたサブラックにおいて、１以上のガイドレールに、蛍光材、蓄光材または反射材により構成された基板ガイドマーク部を設けたたこと、を特徴とする。
【００１３】
本発明の特徴は、上記のように広く示すことができるが、その構成や内容は、目的および特徴とともに、図面を考慮に入れた上で、以下の開示によりさらに明らかになるであろう。
【発明の効果】
【００１４】
本願の第１発明によるサブラックは、前面開口部から挿入される複数枚のプラグインユニットを配列収納可能なサブラックであって、その底面内側および／または天面内側に、複数のガイドレールを備え、複数枚のプラグインユニットは、それぞれガイドレールに沿ってサブラックの前面開口部からサブラック内に挿入可能に構成されたサブラックにおいて、１以上のガイドレールに、蛍光材、蓄光材または反射材により構成された基板ガイドマーク部を設けたたこと、を特徴とする。
【００１５】
このように、ガイドレールに、蛍光材、蓄光材または反射材により構成された基板ガイドマーク部を設けることで、暗所であってもガイドレールの位置が容易に視認できる。このため、たとえば、いったん抜いたプラグインユニットを点検修理したのちサブラックに再挿入したり、新たなプラグインユニットをサブラックに挿入したりする場合に、ガイドレールに沿ってプラグインユニットを挿入する作業が、容易となる。
【００１６】
すなわち、暗所における保守作業の容易なサブラックを実現することができる。
【００１７】
本願の第２発明によるサブラックは、本願の第１発明によるサブラックにおいて、基板ガイドマーク部の設けられたガイドレールのうち、一部のガイドレールにおける基板ガイドマーク部の色を、基板ガイドマークの設けられた他のガイドレールにおける基板ガイドマーク部の色と異なる色としたこと、を特徴とする。
【００１８】
したがって、たとえば、プラグインユニットの機能によってバックプレーンへの接続位置が決められている場合には、当該バックプレーンへの接続位置に対応するガイドレールにおける基板ガイドマーク部の色を異ならせることで、暗所であっても、当該機能を有するプラグインユニットを挿入すべきガイドレールを、容易に識別することができる。
【００１９】
このため、いったん抜いたプラグインユニットを点検修理したのちサブラックに再挿入したり、同様の機能を有する新たなプラグインユニットをサブラックに挿入したりする場合に、容易に、元の決められた位置にプラグインユニットを挿入することができる。
【００２０】
本願の第３発明によるサブラックは、本願の第１発明によるサブラックにおいて、基板ガイドマーク部の設けられたガイドレールのうち、一部のガイドレールにおける基板ガイドマーク部の形状を、基板ガイドマークの設けられた他のガイドレールにおける基板ガイドマーク部の形状と異なる形状としたこと、を特徴とする。
【００２１】
したがって、たとえば、プラグインユニットの機能によってバックプレーンへの接続位置が決められている場合には、当該バックプレーンへの接続位置に対応するガイドレールにおける基板ガイドマーク部の形状を異ならせることで、色の判別が困難な作業者・環境であっても、当該機能を有するプラグインユニットを挿入すべきガイドレールを、容易に識別することができる。
【００２２】
このため、いったん抜いたプラグインユニットを点検修理したのちサブラックに再挿入したり、同様の機能を有する新たなプラグインユニットをサブラックに挿入したりする場合に、容易に、元の決められた位置にプラグインユニットを挿入することができる。
【００２３】
本願の第４発明によるガイドレールは、本願の第１ないし第３のいずれかの発明によるサブラックに用いることを特徴とする。
【００２４】
したがって、これらのガイドレールをサブラックに用いることで、上記第１ないし第３のいずれかの発明と同様の効果を奏する。
【図面の簡単な説明】
【００２５】
【図１】図１は、サブラック装置１の構成を示す斜視図である。
【図２】図２は、サブラック装置１の正面図である。
【図３】図３は、プラグインユニット３の構成を示す斜視図である。
【図４】図４は、図２におけるＩＶ−ＩＶ'断面の一部を示す部分断面図である。
【図５】図５は、フロントパネル３１の上端部３１ａ近傍を拡大した部分分解斜視図である。
【図６】図６は、ガイドレール４の構成を示す斜視図である。
【図７】図７Ａは、ガイドレール１０４の構成を示す斜視図である。図７Ｂは、ガイドレール１０４の部分分解斜視図である。
【図８】図８Ａは、ガイドレール２０４の構成を示す斜視図である。図８Ｂは、ガイドレール２０４の部分分解斜視図である。
【図９】図９Ａは、ガイドレール３０４の構成を示す斜視図である。図９Ｂ、図９Ｃは、ガイドレールに対応するプラグインユニット３の備える機能によって、図９Ａに示す基板ガイドマーク部１６の形状と異なる形状の基板ガイドマーク部１６を設けた場合の例を示す図面である。
【発明を実施するための形態】
【００２６】
図１は、この発明の一実施形態によるサブラック２、を備えたサブラック装置１の構成を示す斜視図である。図２は、サブラック装置１の正面図である。
【００２７】
図１および図２に示すように、サブラック装置１は、サブラック２と、サブラック２の前面開口部１０から挿入されサブラック２に配列収納された複数枚のプラグインユニット３と、を備えている。サブラック装置１は、たとえば、電車の制御装置の一部として、電車の床下などに設置される。
【００２８】
サブラック２は、略直方体状の筐体であり、その前面側（図中Ｙ２方向端側）の天面側（図中Ｚ１方向端側）および底面側（図中Ｚ２方向端側）に、それぞれ、フロントレール（上フロントレールおよび下フロントレール）５が配置されている。
【００２９】
サブラック２の後面側（図中Ｙ１方向端側）の天面側および底面側には、それぞれ、リアレール（上リアレールおよび下リアレール）６が配置されている。
【００３０】
サブラック２の左側面側（図中Ｘ２方向端側）および右側面側（図中Ｘ１方向端側）には、それぞれ、サイドパネル（左サイドパネルおよび右サイドパネル）８が配置されている。
【００３１】
左右のサイドパネル８の前面側には、それぞれ、フランジ（左フランジおよび右フランジ）９が配置されている。サブラック２の後面側の略中央には、それぞれ、左右のサイドパネル８をつなぐセンタレール７が配置されている（図２参照）。
【００３２】
上下のフロントレール５、上下のリアレール６、センタレール７は、それらの左右の端部を、それぞれ、左右のサイドパネル８に、ネジ止めなどにより固定されており、左右のフランジ９は、それぞれ、左右のサイドパネル８に、ネジ止めなどにより固定されている。
【００３３】
サブラック２の底面内側および天面内側に、それぞれ、複数のガイドレール４が、所定間隔で、配置されている。
【００３４】
底面内側に配置されたガイドレール（下ガイドレール）４は、下フロントレール５および下リアレール６の上側に接して配置され、下フロントレール５および下リアレール６に対して位置決めされて固定されている。
【００３５】
天面内側に配置されたガイドレール（上ガイドレール）４は、上フロントレール５および上リアレール６の下側に接して配置され、上フロントレール５および上リアレール６に対して位置決めされて固定されている。
【００３６】
対応する上下のガイドレール４は、相互の溝部４１（図６参照）の位置が上下方向に対向するように、位置決めされている。プラグインユニット３を、サブラック２の前面開口部１０からサブラック２内に挿入する際、プラグインユニット３の回路基板３０（図３参照）の上下端が、それぞれ、上下のガイドレール４の溝部４１に沿ってＹ１方向に案内される。
【００３７】
図３は、プラグインユニット３の構成を示す斜視図である。図３に示すように、プラグインユニット３は、回路基板３０と、回路基板３０前端部３０ａに取り付けられたフロントパネル３１と、を備えている。
【００３８】
回路基板３０の後端部３０ｂには、コネクタ（図示せず）が設けられている。一方、サブラック２の後面側（図１参照）にはバックプレーン（図示せず）が配置されており、バックプレーン上には、複数のコネクタ（図示せず）が、各プラグインユニットのコネクタと対向するように設けられている。
【００３９】
プラグインユニット３を、サブラック２内に、ガイドレール４の溝部４１（図６参照）に沿ってＹ１方向に最後まで挿入すると、回路基板３０に設けられたコネクタと、バックプレーンに設けられたコネクタとが、電気的に接続されるよう構成されている。
【００４０】
フロントパネル３１の上端部３１ａおよび下端部３１ｂには、それぞれ、ネジ保持部であるスリーブ３２が設けられている。上下のスリーブ３２には、それぞれ、固定用ビス３３が、回動自在に保持されている。
【００４１】
フロントパネル３１の上端部３１ａおよび下端部３１ｂには、また、挿抜ハンドル（抜去ハンドル）３４が、それぞれ、設けられている。回路基板３０に設けられたコネクタとバックプレーンに設けられたコネクタとが接続された状態で、挿抜ハンドル３４を図中Ｒ１方向に回動させることで、てこの原理により、コネクタ相互の接続を解除することができる。
【００４２】
図４は、図２におけるＩＶ−ＩＶ'断面の一部を示す部分断面図である。図４に示すように、フロントレール５の前端部５ａ近くに設けられた保持溝５ｂには、ネジ切りインサート５１が挿入されて保持されている。ネジ切りインサート５１は、図２に示すように、図中Ｘ方向を長手方向とする長尺板状の部材であって、多数の固定用ネジ孔５２が設けられている。
【００４３】
図４に示すように、固定用ネジ孔５２は、プラグインユニット３を、サブラック２内に、ガイドレール４の溝部４１（図６参照）に沿ってＹ１方向に挿入したときに、当該プラグインユニット３のフロントパネル３１に設けられたスリーブ３２と対向するよう構成されている。
【００４４】
スリーブ３２に保持された固定用ビス３３を締め込むと、固定用ビス３３が固定用ネジ孔５２にねじ込まれ、当該プラグインユニット３がサブラック２に固定される。
【００４５】
図５は、フロントパネル３１の上端部３１ａ近傍を拡大した部分分解斜視図である。スリーブ３２は、貫通した略円筒状の部材であって、その後端側（Ｙ１方向端側）が、圧入などの手段によりフロントパネル３１の上端部３１ａに設けられた貫通孔に固定されている。
【００４６】
スリーブ３２の内径部は、その後端側に設けられ雌ネジにより構成されたネジ部３２ａ、ネジ部３２ａに続く大径部３２ｂを備えている。スリーブ３２の外径部は略小判状断面を有する外側面３２ｃとなっている。スリーブ３２の前端側（Ｙ２方向端側）端面が頂部３２ｄである。
【００４７】
固定用ビス３３は、雄ネジにより構成されたネジ部３３ａと、ネジ部３３ａに続く小径ネジなし部３３ｂ、小径ネジなし部３３ｂに続くネジ頭３３ｃを備えている。ネジ頭３３ｃの前端側端面が頂部３３ｄである。
【００４８】
固定用ビス３３を、スリーブ３２に回動自在に保持するには、まず、固定用ビス３３のネジ部３３ａをスリーブ３２のネジ部３２ａに螺入する。そのまま締め込むと、スリーブ３２のネジ部３２ａに固定用ビス３３小径ネジなし部３３ｂが到達し、両ネジ部３２ａ、３３ａの螺合が解除される。
【００４９】
固定用ビス３３の小径ネジなし部３３ｂの外径が、スリーブ３２のネジ部３２ａの内径より僅かに小さくなるよう構成されているため、当該位置関係のときに、固定用ビス３３を、スリーブ３２に回動自在に保持することができる。
【００５０】
なお、固定用ビス３３がスリーブ３２に回動自在に保持された状態で、固定用ビス３３は、さらに、スリーブ３２に対して、一定距離、前後方向（Ｙ方向）にスライド自在となるよう構成されている。
【００５１】
図３に示すフロントパネル３１の下端部３１ｂ近傍も、上端部３１ａ近傍と同様の構成である。
【００５２】
この実施形態においては、図５に示すように、サブラック装置１を構成する全てのプラグインユニット３について、上下の固定用ビス３３および上下のスリーブ３２の全てに、ネジ認識マーク部１５を設けている。
【００５３】
ネジ認識マーク部１５は、蛍光材、蓄光材または反射材のいずれかにより構成されている。蛍光材とは、蛍光顔料などの蛍光色素を用いて構成された材料である。ネジ認識マーク部１５に蛍光材を用いることで、一般光下で色の通常反射に加えてフォトルミネセンスで発色するため、一般色に比べてより鮮明に見える。このため、暗所において、わずかな光量しか得られない場合であっても、ネジ認識マーク部１５を容易に視認することができる。
【００５４】
蓄光材とは、光（電磁波）を蓄えて、光照射を止めても発光する物質を用いて構成された材料である。ネジ認識マーク部１５に蓄光材を用いることで、光照射が途絶えたとしても、一定時間の間、ネジ認識マーク部１５を視認することができる。
【００５５】
反射材とは、どのような方向・角度から入射した光も光源に向かってそのまま反射するように構成された材料である。ネジ認識マーク部１５に反射材を用いることで、暗所において、作業者のヘッドランプなどから照射されたわずかな光を反射して、ネジ認識マーク部１５を容易に視認することができる。
【００５６】
ネジ認識マーク部１５を固定用ビス３３またはスリーブ３２に設ける際の方法（加工法など）は、とくに限定されるものではないが、たとえば、蛍光材、蓄光材または反射材を用いた塗装、印刷、鍍金などの表面処理（広義の表面処理）が例示される。
【００５７】
この実施形態においては、全てのプラグインユニット３について、ネジ認識マーク部１５の色が同一となるよう構成しているが、この発明は、これに限定されるものではない。
【００５８】
たとえば、プラグインユニット３の備える機能によって、ネジ認識マーク部１５の色を異ならせるよう構成することもできる。
【００５９】
なお、サブラック装置１を構成する全てのプラグインユニット３にネジ認識マーク部１５を設けることは必須ではない。
【００６０】
たとえば、重要な機能を有するプラグインユニット３にのみネジ認識マーク部１５を設けたり、サブラック２に対する着脱頻度の高いプラグインユニット３にのみネジ認識マーク部１５を設けたりすることもできる。
【００６１】
なお、ネジ認識マーク部１５を設けるのは、上下の固定用ビス３３および上下のスリーブ３２の全てに限定されるものではない。
【００６２】
たとえば、上下の固定用ビス３３にのみネジ認識マーク部１５を設けるよう構成したり、上下のスリーブ３２にのみネジ認識マーク部１５を設けるよう構成したりすることもできる。
【００６３】
さらに、上下いずれか一方の固定用ビス３３にのみネジ認識マーク部１５を設けるよう構成したり、上下いずれか一方のスリーブ３２にのみネジ認識マーク部１５を設けるよう構成したりすることもできる。
【００６４】
また、この実施形態においては、固定用ビス３３の頂部３３ｄにネジ認識マーク部１５を設けるようにしているが、固定用ビス３３にネジ認識マーク部１５を設ける場合、ネジ認識マーク部１５を設ける位置は頂部３３ｄに限定されるものではない。
【００６５】
たとえば、ネジ頭３３ｃ全体にネジ認識マーク部１５を設けるよう構成することもできるし、固定用ビス３３全体をネジ認識マーク部１５とするよう構成することもできる。
【００６６】
ただし、固定用ビス３３の頂部３３ｄにネジ認識マーク部１５を設けるようにして、工具溝（十字穴）にネジ認識マーク部１５が及ばないようにすると、工具溝への工具のかかりを確実にすることができるため、好都合である。
【００６７】
また、スリーブ３２の頂部３２ｄにネジ認識マーク部１５を設けるようにしているが、スリーブ３２にネジ認識マーク部１５を設ける場合、ネジ認識マーク部１５を設ける位置は頂部３２ｄに限定されるものではない。
【００６８】
たとえば、頂部３２ｄおよび外側面３２ｃの双方にネジ認識マーク部１５を設けるよう構成することもできるし、スリーブ３２全体をネジ認識マーク部１５とするよう構成することもできる。
【００６９】
つぎに、図６は、ガイドレール（下ガイドレール）４の構成を示す斜視図である。図６に示すように、ガイドレール４は、前後方向（図中Ｙ方向）に長手方向を有する溝部４１と上面部４２とを備えている。溝部４１の横断面（ＸＺ断面）形状は凹形状である。上面部４２は、溝部４１に隣接し、平面視（Ｚ２方向視）において、溝部４１を左右から挟む形状となっている。
【００７０】
上ガイドレール４も、下ガイドレール４と同様の構成であって、この例では、下ガイドレール４の前後を逆にしてサブラック２の天面内側に取り付けたものが、上ガイドレール４となるよう構成されている。
【００７１】
この実施形態においては、サブラック２を構成する上下のガイドレール４全てに、図６に示すように、基板ガイドマーク部１６を設けている。
【００７２】
基板ガイドマーク部１６は、蛍光材、蓄光材または反射材のいずれかにより構成されている。基板ガイドマーク部１６に蛍光材を用いることで、一般光下で色の通常反射に加えてフォトルミネセンスで発色するため、一般色に比べてより鮮明に見える。このため、暗所において、わずかな光量しか得られない場合であっても、基板ガイドマーク部１６を容易に視認することができる。
【００７３】
また、基板ガイドマーク部１６に蓄光材を用いることで、光照射が途絶えたとしても、一定時間の間、基板ガイドマーク部１６を視認することができる。
【００７４】
また、基板ガイドマーク部１６に反射材を用いることで、暗所において、作業者のヘッドランプなどから照射されたわずかな光を反射して、基板ガイドマーク部１６を容易に視認することができる。
【００７５】
基板ガイドマーク部１６をガイドレール４に設ける際の方法（加工法など）は、とくに限定されるものではないが、たとえば、蛍光材、蓄光材または反射材を用いた塗装、印刷などの表面処理（広義の表面処理）のほか、ガイドレール４の全体または一部を構成する材料（たとえばプラスチック材料）自体に蛍光材、蓄光材または反射材を添加する方法が例示される。
【００７６】
この実施形態においては、全てのガイドレール４について、基板ガイドマーク部１６の色が同一となるよう構成しているが、この発明は、これに限定されるものではない。
【００７７】
たとえば、当該ガイドレール４に対応するプラグインユニット３の備える機能によって、基板ガイドマーク部１６の色を異ならせるよう構成することもできる。
【００７８】
なお、サブラック２を構成する全てのガイドレール４に基板ガイドマーク部１６を設けることは必須ではない。
【００７９】
たとえば、重要な機能を有するプラグインユニット３に対応するガイドレール４にのみ基板ガイドマーク部１６を設けたり、サブラック２に対する着脱頻度の高いプラグインユニット３に対応するガイドレール４にのみ基板ガイドマーク部１６を設けたりすることもできる。
【００８０】
なお、基板ガイドマーク部１６を設けるのは、上下のガイドレール４双方に限定されるものではない。
【００８１】
たとえば、上下いずれか一方のガイドレール４にのみ基板ガイドマーク部１６を設けるよう構成することもできる。
【００８２】
また、この実施形態においては、ガイドレール４の上面部４２に基板ガイドマーク部１６を設けるようにしているが、ガイドレール４に基板ガイドマーク部１６を設ける場合、基板ガイドマーク部１６を設ける位置は上面部４２に限定されるものではない。
【００８３】
たとえば、ガイドレール４における上面部４２以外の部分に基板ガイドマーク部１６を設けるよう構成することもできるし、ガイドレール４全体を基板ガイドマーク部１６とするよう構成する（たとえば、ガイドレール４全体に蛍光材、蓄光材または反射材を用いた表面処理を施したり、ガイドレール４全体を構成するプラスチック材料自体に蛍光材、蓄光材または反射材を添加したりする）こともできる。
【００８４】
ただし、ガイドレール４の上面部４２に基板ガイドマーク部１６を設けるようにすると、ガイドレール４において回路基板３０を挿入すべき溝部４１全体が判別可能となるため、好都合である。
【００８５】
図７Ａないし図９Ｃは、上面部４２以外の部分に基板ガイドマーク部１６を設けるよう構成された種々のガイドレールの例を説明するための図面である。
【００８６】
図７Ａは、ガイドレール１０４の構成を示す斜視図である。図７Ｂは、ガイドレール１０４の部分分解斜視図である。
【００８７】
図７Ａに示すように、ガイドレール１０４は、本体４８と一対の付加部材４３とを備えている。付加部材４３は、本体４８の前後端（Ｙ２方向端およびＹ１方向端）にそれぞれ装着されている。この付加部材４３が基板ガイドマーク部１６に相当する。
【００８８】
図７Ｂに示すように、この例では、付加部材４３は、本体４８の前後方向から本体４８に装着できるよう構成されている。
【００８９】
また、図８Ａは、ガイドレール２０４の構成を示す斜視図である。図８Ｂは、ガイドレール２０４の部分分解斜視図である。
【００９０】
図８Ａに示すように、ガイドレール２０４は、本体４９と一対の付加部材４４とを備えている。付加部材４４は、本体４９の前後端（Ｙ２方向端およびＹ１方向端）からやや内方よりの上部にそれぞれ装着されている。この付加部材４４が基板ガイドマーク部１６に相当する。
【００９１】
図８Ｂに示すように、この例では、付加部材４４は、本体４９の上方向から本体４９に装着できるよう構成されている。
【００９２】
さて、図７Ａおよび図７Ｂに示ガイドレール１０４においては、付加部材４３は、本体４８とは別の部材として構成されている。このように構成することで、ガイドレール１０４に本来必要とされる機能、たとえば、強度、耐摩耗性、摩擦係数などを満足しない材料であっても、付加部材４３として使用することができる。
【００９３】
この結果、付加部材４３の材料あるいは表面処理方法の選択肢が増える。このため、たとえば、ガイドレール１０４を一体的に形成した上でガイドレール１０４全体を基板ガイドマーク部１６とする場合に比べ、発色性に重きをおいた材料や表面処理方法を適用した基板ガイドマーク部１６（すなわち付加部材４３）を実現することが可能となる。
【００９４】
また、ガイドレール１０４に対応するプラグインユニット３の備える機能によって、基板ガイドマーク部１６の色を異ならせるような場合の対応も容易となる。さらに、本体４８に対して、付加部材４３を着脱自在に構成しておけば、たとえば、当該ガイドレール１０４に対応するプラグインユニット３の備える機能が変更された場合に、容易に、付加部材４３を他の色のものに変更することができ、好都合である。
【００９５】
なお、この例では、付加部材４３を、本体４８の前端および後端に、それぞれ装着する場合について説明したが、付加部材４３を、前端および後端のうち、いずれか一方にのみ設けるよう構成することもできる。
【００９６】
ガイドレール１０４におけるこれらの特性は、図８Ａおよび図８Ｂに示ガイドレール２０４においても該当する。
【００９７】
つぎに、図９Ａは、ガイドレール３０４の構成を示す斜視図である。図９Ａに示すように、ガイドレール３０４は、その前端面（図中Ｙ２方向端面）４５および後端面（図中Ｙ１方向端面）４５に、基板ガイドマーク部１６を備えている。
【００９８】
基板ガイドマーク部１６の形状はとくに限定されるものではないが、たとえば、矩形状のものとすることができる。
【００９９】
図９Ａの例においても、基板ガイドマーク部１６の材料は、ガイドレールに本来必要とされる機能を損なうことなく選択することができるため、好都合である。
【０１００】
また、ガイドレールに対応するプラグインユニット３の備える機能によって、基板ガイドマーク部１６の色を異ならせるような場合の対応も容易となる。さらに、基板ガイドマーク部１６を、粘着シールのように取り外し可能なものにより構成すれば、たとえば、当該ガイドレールに対応するプラグインユニット３の備える機能が変更された場合に、容易に、基板ガイドマーク部１６の色を他の色に変更することができ、好都合である。
【０１０１】
なお、これらの例では、基板ガイドマーク部１６を、ガイドレール３０４の前後の端面４５に、それぞれ設ける場合について説明したが、基板ガイドマーク部１６を、前後の端面４５のうち、いずれか一方にのみ設けるよう構成することもできる。
【０１０２】
なお、上述の実施形態において、プラグインユニット３の備える機能によって、ネジ認識マーク部１５（図５参照）の色を異ならせる場合について説明したが、この場合、さらに、基板ガイドマーク部１６の色を、ガイドレールに対応するプラグインユニット３を構成するネジ認識マーク部１５の色に対応した色（たとえば、同色あるいは類似色）とする
よう構成することもできる。
【０１０３】
このように構成することで、当該プラグインユニット３の有する機能自体を知らなくても、ガイドレールと、当該ガイドレールに挿入すべきプラグインユニット３との対応関係を、暗所においても、容易に把握することができる。
【０１０４】
また、上述の実施形態において、ガイドレールに対応するプラグインユニット３の備える機能によって、基板ガイドマーク部１６の形態を異ならせる方法として、基板ガイドマーク部１６の色を異ならせる場合について言及したが、ガイドレールに対応するプラグインユニット３の備える機能によって、基板ガイドマーク部１６の形態を異ならせる方法はこれに限定されるものではない。
【０１０５】
一般的には、ガイドレールに対応するプラグインユニット３の備える機能によって、基板ガイドマーク部１６の形態、すなわち、色、形状、模様、またはこれらの組み合わせを、異ならせるよう構成することができる。
【０１０６】
図９Ｂ、図９Ｃは、ガイドレールに対応するプラグインユニット３の備える機能によって、図９Ａに示す基板ガイドマーク部１６の形状と異なる形状の基板ガイドマーク部１６を設けた場合の例を示す図面である。
【０１０７】
このように、ガイドレールに対応するプラグインユニット３の備える機能によって、基板ガイドマーク部１６の形状を異ならせるよう構成することで、色の判別が困難な作業者・環境においても、当該ガイドレール３０４に対応するプラグインユニット３の備える機能を把握することが容易となる。
【０１０８】
もちろん、ガイドレールに対応するプラグインユニット３の備える機能によって、基板ガイドマーク部１６の色および形状を、ともに異ならせるよう構成することもできる。
【０１０９】
なお、上述の実施形態においては、サブラック装置が、ネジ認識マーク部１５（図５など参照）および基板ガイドマーク部１６（図６など参照）の双方を備えた場合を例に説明したが、サブラック装置が、ネジ認識マーク部１５を備えていない場合にも、本発明を適用することができる。
【０１１０】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【０１１１】
２：サブラック
３：プラグインユニット
４：ガイドレール
１６：基板ガイドマーク部
３０：回路基板
４１：溝部
４２：上面部
【図１】
0006456320.tif 000002
【図２】
0006456320.tif 000003
【図３】
0006456320.tif 000004
【図４】
0006456320.tif 000005
【図５】
0006456320.tif 000006
【図６】
0006456320.tif 000007
【図７】
0006456320.tif 000008
【図８】
0006456320.tif 000009
【図９】
0006456320.tif 000010